(57)【要約】【課題】交換式レンズを用いた撮影装置において、マウントを介することなく、カメラ側で発生した熱をレンズ側へ放熱することで、撮影中のピント変化を抑制したレンズ装置を提供すること。【解決手段】交換式レンズ装置と該交換式レンズ装置がマウント部材を介して着脱されるカメラ装置を有し、該カメラ装置には該カメラ装置の内部に有する発熱部材から発生する熱を伝熱するカメラ側伝熱部材を有し、該カメラ側伝熱部材は該マウント部材とは異なる位置で該カメラ装置の筐体の外部に突出する突出部を有し、該交換式レンズ装置は該カメラ装置に取り付け固定時に該カメラ側伝熱部材の該突出部と接触するレンズ側伝熱部材を有することを特徴とする。【選択図】図２
2017215397.tif 000002
【特許請求の範囲】
【請求項１】
交換式レンズ装置と該交換式レンズ装置がマウント部材を介して着脱されるカメラ装置を有し、該カメラ装置には該カメラ装置の内部に有する発熱部材から発生する熱を伝熱するカメラ側伝熱部材を有し、該カメラ側伝熱部材は該マウント部材とは異なる位置で該カメラ装置の筐体の外部に突出する突出部を有し、該交換式レンズ装置は該カメラ装置に取り付け固定時に該カメラ側伝熱部材の該突出部と接触するレンズ側伝熱部材を有することを特徴とする撮影装置。
【請求項２】
前記発熱部材は、撮像素子であることを特徴とする請求項１に記載の撮影装置。
【請求項３】
前記レンズ側伝熱部材は、前記交換式レンズ装置を支えるサポート部材であることを特徴とする請求項１又は請求項２に記載の撮影装置。
【請求項４】
前記レンズ側伝熱部材は、前記交換式レンズ装置のフード部材であることを特徴とする請求項１又は請求項２に記載の撮影装置。
【請求項５】
前記レンズ側伝熱部材は、前記交換式レンズ装置のレンズ鏡筒の一部と接続することを特徴とする請求項１乃至請求項４の何れか一項に記載の撮影装置。
【請求項６】
前記レンズ側伝熱部材は、前記交換式レンズ装置のレンズ鏡筒の一部、もしくは該交換式レンズ装置の外部に露出している放熱部材の少なくともどちらか一方に接続することを特徴とする請求項１乃至請求項４の何れか一項に記載の撮影装置。
【発明の詳細な説明】
【技術分野】
【０００１】
本発明は、撮影装置に関する。
【背景技術】
【０００２】
カメラ本体の小型化に伴い、撮像素子や電源部から発する熱を放熱するための放熱部材をカメラ本体内部に設けずに、放熱部材をレンズ側へ設ける構造が特許文献１、特許文献２に提案されている。
【先行技術文献】
【特許文献】
【０００３】
【特許文献１】特開２００６−３５０１１２号公報
【特許文献２】特開２００７−２１２６９６号公報
【発明の概要】
【発明が解決しようとする課題】
【０００４】
特許文献１、２によると、交換式レンズを用いた撮像装置において、カメラ側の熱がマウントを介してレンズ側へ放熱されることで、マウントと撮像素子の距離がマウントの熱膨張によって変化し、撮影中にピントが変化する課題がある。また、上記特許文献において、交換式レンズに対する伝熱手段は、マウントを介した構造が提示されているのみであり、ピントの変化を抑制してレンズ側で放熱する手段が望まれる。
【０００５】
そこで、本発明の目的は、交換式レンズを用いた撮影装置において、マウントを介することなく、カメラ側で発生した熱をレンズ側へ放熱する構造を提供することにある。
【課題を解決するための手段】
【０００６】
上記の目的を達成するために、本発明に係る撮影装置は、
交換式レンズ装置と該交換式レンズ装置がマウント部材を介して着脱されるカメラ装置を有し、該カメラ装置には該カメラ装置の内部に有する発熱部材から発生する熱を伝熱するカメラ側伝熱部材を有し、該カメラ側伝熱部材は該マウント部材とは異なる位置で該カメラ装置の筐体の外部に突出する突出部を有し、該交換式レンズ装置は該カメラ装置に取り付け固定時に該カメラ側伝熱部材の該突出部と接触するレンズ側伝熱部材を有することを特徴とする。
【発明の効果】
【０００７】
本発明によれば、交換式レンズを用いた撮影装置において、マウントを介することなく、カメラ側で発生した熱をレンズ側へ放熱することで、撮影中のピント変化を抑制したレンズ装置を提供するものである。
【図面の簡単な説明】
【０００８】
【図１】本発明の実施例１における撮影装置の全体図である。
【図２】本発明の実施例１における撮影装置の部分断面図である。
【図３】本発明の実施例２における撮影装置の全体図である。
【図４】本発明の実施例３における撮影装置の全体図である。
【図５】（ａ）は図４におけるＡ−Ａ断面図を示したものである。（ｂ）は図５ａにおけるＢ−Ｂ断面図を示したものである。
【図６】（ａ）は図４におけるＡ−Ａ断面図を示したものである。（ｂ）は図６ａにおけるＢ−Ｂ断面図を示したものである。
【図７】本発明の実施例３におけるフローチャートである。
【発明を実施するための形態】
【０００９】
以下に、添付図面を参照して、本発明の実施例について説明する。
【実施例１】
【００１０】
図１と図２を参照しながら、本実施例の撮影装置について説明する。
【００１１】
図１は本実施例における撮影装置の全体図を示す。図２は図１で示している撮影装置の部分断面図である。
【００１２】
レンズ装置１ａは、フォーカス、ズーム、アイリスをマニュアル操作するための光軸まわりに回転する操作リング７ａ、７ｂ、７ｃを有する。また、レンズ装置１ａは、カメラ装置５０のカメラマウント５３へ取付け固定するためのマウント６がカメラ装置５０側にあり、カメラ装置５０へは、マウント固定リング５４を回して固定するいわゆるバヨネット方式のマウントとなっている。レンズ側のマウント６の物体側には順番に、中間筒５、レンズ群２ｃを保持している鏡筒３ｃ、レンズサポート１０を保持している中間固定部４ａ、レンズ群２ｂとレンズ群２ｃを保持している鏡筒３ｂを保持している鏡筒３ａ、を連結固定している。
【００１３】
カメラマウント５３は、カメラ前プレート５１に固定し、カメラ前プレート５１には、カメラを覆うためのカメラカバー５２を固定する。カメラ装置５０に有する撮像素子５５は、ＣＣＤやＣＭＯＳであり、カメラ前プレート５１に固体する撮像素子固定部５６に取り付けられる。また、撮像素子５５の背面には熱伝導率が高いアルミニウムなどから成るカメラ側伝熱部材５７を有し、その先端はカメラ前プレート５１に開けられた伝熱部材突出口５８からカメラ装置５０の外部に突出している。
【００１４】
カメラ側伝熱部材５７の先端は、レンズサポート１０から一体で突出しているレンズサポート伝熱部１１と、伝熱シート部１２を介して接触している。伝熱シート部１２は、レンズサポート伝熱部１１の先端に一体で固定されたシリコンなどの弾性力のある放熱シートであり、カメラ側伝熱部材５７とレンズサポート伝熱部１１の密着性を確保している。レンズ取り付け時には、レンズ装置１ａとカメラ装置５０のマウント部がそれぞれ接触すると共に、カメラ側伝熱部材５７とレンズサポート伝熱部１１も伝熱シート部１２を介して接触する。
【００１５】
撮像素子５５から発した熱は、カメラ側伝熱部材５７を伝わり、伝熱シート部１２、レンズサポート伝熱部１１の順に伝わる。レンズサポート１０は、撮影装置を固定するための三脚部材と下面にて接続固定するものであり、材質はアルミニウムなどの金属部材であり、カメラ側からの熱を放熱するための表面積を確保している。
【００１６】
以上のように、本発明によれば、撮像素子５５から発した熱は、マウント部を介さずにレンズ装置１ａ側のレンズサポート１０から放熱することができるため、カメラ装置５０内には別途放熱部材を設ける必要がない。また、三脚部材への固定機能を有するレンズサポート１０を使用して発熱しているため、専用の放熱部材をレンズ装置１ａに設ける必要がない。
【実施例２】
【００１７】
図３を参照して、本実施例の撮影装置について説明する。
【００１８】
図２は本実施例における撮影装置の全体図を示す。
【００１９】
本実施例のレンズ装置１ｂは、基本的な構成は図１に示した第１の実施例の撮影装置と同等の構成を有するが、特徴的な構成としてフード２０とフード伝熱部２１を有する。フード２０は、レンズ装置１ｂの物体側に不要な光線を遮光するために取り付けられている。フード２０の撮像面側下方には、カメラ側伝熱部材５７と伝熱シート部１２を介して先端が接触するフード伝熱部２１が中間固定部４ｂ下方面に接続固定されている。撮像素子５５から発した熱は、カメラ側伝熱部材５７を伝わり、伝熱シート部１２、フード伝熱部２１、フード２０の順に伝わる。フード２０の外装面とフード伝熱部２１は、アルミニウムなどの金属部材であり、カメラ側からの熱を放熱するための表面積を確保している。
【００２０】
以上のように、本発明によれば、撮像素子５７から発した熱は、マウント部を介さずにレンズ装置１ｂ側のフード２０から放熱することができるため、カメラ装置５０内には別途放熱部材を設ける必要がない。また、不要な光線を遮光するフード２０を使用して発熱しているため、専用の放熱部材をレンズ装置１ｂに設ける必要がない。
【実施例３】
【００２１】
図４から図６を参照しながら、本実施例の撮影装置について説明する。
【００２２】
図４は本実施例における撮影装置の全体図を示す。図５（ａ）は、図４で示している撮影装置の部分断面図である。図５（ｂ）は、図５（ａ）中のＢ−Ｂ断面図を示す。図６（ａ）は、図４で示している撮影装置の部分断面図である。図６（ｂ）は、図６（ａ）中のＢ−Ｂ断面図を示す。図７は、本実施例におけるフローチャートである。
【００２３】
本実施例のレンズ装置１ｃは、基本的な構成は図１に示した第１の実施例の撮影装置と同等の構成を有するが、特徴的な構成として鏡筒伝熱部３０と回転伝熱部３１を有する。鏡筒伝熱部３０は、レンズ群２ｃを保持する鏡筒３ｄの外周に接続固定され、中間固定部４ｃに開けられた中間固定筒穴部３８から中間固定部４ｃの外部に先端が突出している。
【００２４】
鏡筒伝熱部３０の先端は、回転伝熱部３１の一部で平面状の回転伝熱部接触面３２ａと接触している。回転伝熱部３１の一端は、伝熱シート部３６を介して、カメラ側伝熱部材５７と接触している。回転伝熱部３１は、回転部固定筐体３７内に回転可能な状態で保持され、回転固定筐体３７内に固定しているモータ３５の回転力をモータギア３４によって回転伝熱部３１に伝えることで回転する。回転伝熱部３１にある回転伝熱部接触面３２ａの反対側には、回転部固定筐体３７の外側に突出した放熱部を持つ外部放熱板３３と接触するように、回転伝熱部接触面３２ｂを有する。
【００２５】
次に、撮像素子５５からの熱を伝える伝熱経路を選択する処理を図７のフローチャートを参照して説明する。
【００２６】
Ｓ１０１は、レンズ装置１ｃ内に有する不図示の温度センサから得られた温度情報を元に、例えば測定温度が−５℃以下の場合はＳ１０２へ、−５℃より高い場合はＳ１０３へ選択する処理である。
【００２７】
Ｓ１０２は低温時の処理で、モータ３５を回転し回転伝熱部３１の回転伝熱部接触面３２ａが鏡筒伝熱部３０に接触する角度まで回転する。接触する角度を検出する手段は、あらかじめモータ３７の回転角を算出しておき、モータ３５に有する回転角検出部から得られる回転角度を元にモータ３５を所定の位置に回転する方法がある。または、接触位置を検出する接触スイッチが、回転伝熱部接触面３２ａの一部が触れることで回転停止位置を検出しても良い。Ｓ１０２の状態において、撮像素子５５から発する熱は、カメラ側伝熱部材５７、伝熱シート部３６、回転伝熱部３１、鏡筒伝熱部３０の順で伝わる。伝熱シート部３６は、回転伝熱部３１の先端に固定されたシリコンなどの弾性力のある放熱シートであり、カメラ側伝熱部材５７と回転伝熱部３１の密着性を確保している。鏡筒伝熱部３１に伝わった熱は鏡筒３ｄを温め、鏡筒３ｄが収縮して、レンズ群２ｃの前後の間隔変化を抑制する。
【００２８】
Ｓ１０３は高温時の処理で、モータ３５を回転し回転伝熱部３１の回転伝熱部接触面３２ｂが外部放熱板３３に接触する角度までＳ１０１の処理とは逆方向に回転する。Ｓ１０３の状態は、Ｓ１０２と異なり、撮像素子５５からの熱は、回転伝熱部３１から外部放熱板３３へ伝わる。外部放熱板３３の放熱部は、回転部固定筐体３７の外側に突出しており、伝わった熱は外部に放熱される。なお、上記処理は、不図示のレンズ装置１ｃ内に有する電気基板上にあるＣＰＵにて処理されるものである。
【００２９】
以上のように、本発明によれば、撮像素子５５から発した熱は、マウント部を介さずにレンズ装置１ｃ側の鏡筒伝熱部３０や外部放熱板３３から放熱することができるため、カメラ装置５０内には別途放熱部材を設ける必要がない。また、低温時にはレンズ群２ｃの前後間隔変化を抑えることで、温度変化による光学を少なくすることができる。本実施例では、温度に応じてレンズ鏡筒への伝熱と外部放熱板の１つの組合せの切替えを行っているが、複数のレンズ鏡筒や複数の外部放熱板といった複数の伝熱経路を選択して切り替えても良い。
【００３０】
以上、本発明の好ましい実施形態について説明したが、本発明のこれらの実施形態に限定されず、その要旨の範囲で種々の変形および変更が可能である。
【００３１】
レンズ装置は、撮影装置に適用できる。
【符号の説明】
【００３２】
１ａ，１ｂ，１ｃ，１ｄ  レンズ装置、６  マウント、１１  レンズサポート伝熱部、
５０  カメラ装置、５５  撮像素子、５７  カメラ側伝熱部材
【図１】
2017215397.tif 000003
【図２】
2017215397.tif 000004
【図３】
2017215397.tif 000005
【図４】
2017215397.tif 000006
【図５】
2017215397.tif 000007
【図６】
2017215397.tif 000008
【図７】
2017215397.tif 000009